【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
通信装置であって、
表示部に表示されている画像データを他の通信装置へ送信する第１のモードと、前記表示部に表示されておらず記憶部に記録されている画像データを前記他の通信装置へ送信する第２のモードのいずれかにより画像データを送信する通信手段と、
前記他の通信装置との無線接続を確立する確立手段と、
前記確立手段によって確立された前記無線接続を介した前記第１のモードによる画像データの送信から切り替えて実行された前記第２のモードによる前記無線接続を介した画像データの送信が終了されたことに応じて前記第１のモードに切り替えて画像データの送信を実行するかを、ユーザの操作に基づいて決定する決定手段と、を有し、
前記通信手段は、前記第１のモードによる前記無線接続を介した画像データの送信から切り替えて実行された前記第２のモードによる前記無線接続を介した画像データの送信が終了したことに応じて、
前記決定手段により前記第１のモードに切り替えて画像データの送信を実行すると決定された場合、前記第２のモードから前記第１のモードに切り替えて前記無線接続を介した画像データを送信し、前記決定手段により前記第１のモードに切り替えての画像データの送信を実行しないと決定された場合、前記第２のモードから前記第１のモードに切り替えずに画像データの送信を終了することを特徴とする通信装置。
【請求項２】
前記通信手段は、前記第１のモードから切り替えて実行されたものではない前記第２のモードによる画像データの送信が終了したことに応じて、前記第２のモードから前記第１のモードに切り替えずに画像データの送信を終了することを特徴とする請求項１に記載の通信装置。
【請求項３】
前記第１のモードによる前記無線接続を介した画像データの送信から切り替えて実行された前記第２のモードによる前記無線接続を介した画像データの送信が終了したことに応じて前記第１のモードに切り替えて画像データの送信を実行するかを問い合わせるための画面を、前記表示部に表示する表示制御手段と、
前記表示制御手段によって前記画面が表示された場合に、前記第１のモードによる画像データの送信を実行するかを選択する前記ユーザの操作を受け付ける受付手段と、
を更に有することを特徴とする請求項１に記載の通信装置。
【請求項４】
前記通信手段は、前記表示制御手段によって表示された前記画面の画像データを送信しないことを特徴とする請求項３に記載の通信装置。
【請求項５】
前記表示制御手段は、前記第１のモードによる前記無線接続を介した画像データの送信から切り替えて実行された前記第２のモードによる前記無線接続を介した画像データの送信が終了した際に、前記画面を前記表示部に表示するように制御することを特徴とする請求項３または４に記載の通信装置。
【請求項６】
前記表示制御手段は、前記第１のモードから切り替えて実行されたものではない前記第２のモードによる画像データの送信が終了した際に、前記画面を表示しないように制御することを特徴とする請求項３から５の何れか一項に記載の通信装置。
【請求項７】
前記第２のモードによる画像データの送信が終了したことに応じて、前記第２のモードから前記第１のモードに切り替えずに画像データの送信を終了する場合に、前記通信装置は前記他の通信装置との前記無線接続を切断することを特徴とする請求項１から６の何れか１項に記載の通信装置。
【請求項８】
前記第１のモードによる前記無線接続を介した画像データの送信から切り替えて実行された前記第２のモードによる前記無線接続を介した画像データの送信が終了し、かつ前記決定手段によって前記第１のモードによる画像データの送信を行わないと決定された場合に、前記第２のモードによる前記無線接続を介した画像データの送信が終了してから所定の時間が経過する前に画像データの送信が再開されるかを判定する判定手段を更に有し、
前記第２のモードによる前記無線接続を介した画像データの送信が終了してから前記所定の時間が経過する前に画像データの送信が再開されないと判定された場合、前記通信装置は前記他の通信装置との前記無線接続を切断することを特徴とする請求項７に記載の通信装置。
【請求項９】
前記第１のモードは、Wi−Fi  Display規格に準拠したミラーリングモードであることを特徴とする請求項１から８の何れか１項に記載の通信装置。
【請求項１０】
前記第２のモードは、Wi−Fi  Display規格に準拠したダイレクトモードであることを特徴とする請求項１から９の何れか１項に記載の通信装置。
【請求項１１】
表示部に表示されている画像データを他の通信装置へ送信する第１のモードと、前記表示部に表示されておらず記憶部に記録されている画像データを前記他の通信装置へ送信する第２のモードのいずれかにより画像データを送信する通信手段を有する通信装置の制御方法であって、
前記他の通信装置との無線接続を確立する確立工程と、
前記確立工程において確立された前記無線接続を介した前記第１のモードによる画像データの送信から切り替えて実行された前記第２のモードによる前記無線接続を介した画像データの送信が終了したことに応じて前記第１のモードに切り替えて画像データの送信を実行するかを、ユーザの操作に基づいて決定する決定工程と、
前記第１のモードによる前記無線接続を介した画像データの送信から切り替えて実行された前記第２のモードによる前記無線接続を介した画像データの送信が終了したことに応じて、
前記決定工程において前記第１のモードに切り替えて画像データの送信を実行すると決定された場合、前記第２のモードから前記第１のモードに切り替えて前記無線接続を介した画像データの送信を実行し、前記決定工程において前記第１のモードに切り替えての画像データの送信を実行しないと決定された場合、前記第２のモードから前記第１のモードに切り替えずに画像データの送信を終了するように制御する
前記第２のモードによる画像データの送信が終了した後、制御工程と、
を有することを特徴とする制御方法。
【請求項１２】
コンピュータを、請求項１から１０のいずれか１項に記載の通信装置として機能させるためのプログラム。
【手続補正２】
【補正対象書類名】明細書
【補正対象項目名】０００９
【補正方法】変更
【補正の内容】
【０００９】
上記目的を達成するための一手段として、本発明の通信装置は以下の構成を備える。すなわち、通信装置であって、表示部に表示されている画像データを他の通信装置へ送信する第１のモードと、前記表示部に表示されておらず記憶部に記録されている画像データを前記他の通信装置へ送信する第２のモードのいずれかにより画像データを送信する通信手段と、前記他の通信装置との無線接続を確立する確立手段と、前記確立手段によって確立された前記無線接続を介した前記第１のモードによる画像データの送信から切り替えて実行された前記第２のモードによる前記無線接続を介した画像データの送信が終了されたことに応じて前記第１のモードに切り替えて画像データの送信を実行するかを、ユーザの操作に基づいて決定する決定手段と、を有し、前記通信手段は、前記第１のモードによる前記無線接続を介した画像データの送信から切り替えて実行された前記第２のモードによる前記無線接続を介した画像データの送信が終了したことに応じて、前記決定手段により前記第１のモードに切り替えて画像データの送信を実行すると決定された場合、前記第２のモードから前記第１のモードに切り替えて前記無線接続を介した画像データを送信し、前記決定手段により前記第１のモードに切り替えての画像データの送信を実行しないと決定された場合、前記第２のモードから前記第１のモードに切り替えずに画像データの送信を終了する。